(57)【要約】【課題】  患者自身が背中の患部に対して電気温灸器を用いた治療を行う場合に、患者の作業負担を軽減する。【解決手段】  電気ヒータを内蔵した発熱部１０と、この発熱部に連接された把持部２０と、この把持部から導出された電源コード３０と、を備えた電気温灸器を支持帯で支持する。発熱部１０は、出入口１３０から包袋部１００へと挿入され、絞り紐２００を結ぶことにより、包袋部１００内に包み込まれた状態になる。患者は、一方の手で帯状部材３００と電源コード３０とを束ねて握り、他方の手で帯状部材４００の先端に取り付けられたループ部４１０を握る。発熱部１０を背中側へまわし、両手の位置を変えることにより、発熱部１０が所望の患部に当たるように調節する。【選択図】  図４
0003115119.tif 000002
【実用新案登録請求の範囲】
【請求項１】
電気ヒータを内蔵した発熱部と、この発熱部に連接された把持部と、この把持部から導出された電源コードと、を備えた電気温灸器を支持するための支持帯であって、
一方に出入口が形成され、前記発熱部を包み込んで収容する包袋部と、
前記包袋部の前記出入口を絞り込む絞込手段と、
一端が前記包袋部の前記出入口側に接続され、柔軟性材料からなる第１の帯状部材と、
一端が前記包袋部の前記出入口とは逆側に接続され、柔軟性材料からなる第２の帯状部材と、
を備えることを特徴とする電気温灸器用支持帯。
【請求項２】
請求項１に記載の支持帯において、
包袋部が、身体に接触する面を構成する正面身頃と、この正面身頃に対向する背面身頃と、を有し、前記背面身頃の内部に弾力性をもったクッション部材が埋め込まれていることを特徴とする電気温灸器用支持帯。
【請求項３】
請求項１または２に記載の支持帯において、
第２の帯状部材の幅が包袋部の幅とほぼ等しく、第１の帯状部材の幅が第２の帯状部材の幅よりも狭いことを特徴とする電気温灸器用支持帯。
【考案の詳細な説明】
【技術分野】
【０００１】
本考案は、電気温灸器を支持するための支持帯に関し、特に、電気温灸器を背中に当てて治療を行う作業を補助する機能をもった支持帯に関する。
【背景技術】
【０００２】
温灸は、凝りや痛みを緩和する治療法として古くから用いられている方法である。近年、このような温灸治療を火を用いずに手軽に行うことができるように、電気温灸器が開発されている。たとえば、下記の特許文献１には、電気ヒータを内蔵した発熱部の一部に、遠赤外線を放射する性質をもったセラミック材料を嵌め込み、身体のツボへの刺激を効果的に行うことができる電気温灸器が開示されており、当該電気温灸器に係る考案は、実用新案登録第２５１５４２８号として登録されている。また、下記の特許文献２には、当て布を固定する機能をもった電気温灸器が開示されている。
【特許文献１】実開平６−７７７５２号公報
【特許文献２】実用新案登録第３０４７１７２号公報
【考案の開示】
【考案が解決しようとする課題】
【０００３】
前掲の特許文献１，２に開示されているような電気温灸器は、電気ヒータを内蔵した発熱部と、この発熱部に連接された把持部と、を備えており、通常、患者自身が把持部を握りながら発熱部を患部に当てて、温灸治療を行うことになる。ところが、患部が背中側にある場合、患者自身が発熱部を背中側の患部に当てる作業は、非常に労力を要す作業になる。特に、肩甲骨の近傍にあるツボに温灸治療を施す場合、患者自身が電気温灸器の把持部を握りながら、発熱部を患部に当てることは非常に困難である。
【０００４】
そこで本考案は、患者自身が背中の患部に対して電気温灸器を用いた治療を行う場合に、患者の作業負担を軽減することができる電気温灸器用支持帯を提供することを目的とする。
【課題を解決するための手段】
【０００５】
(1)   本考案の第１の態様は、電気ヒータを内蔵した発熱部と、この発熱部に連接された把持部と、この把持部から導出された電源コードと、を備えた電気温灸器を支持するための支持帯を、
一方に出入口が形成され、発熱部を包み込んで収容する包袋部と、
この包袋部の出入口を絞り込む絞込手段と、
一端が包袋部の出入口側に接続され、柔軟性材料からなる第１の帯状部材と、
一端が包袋部の出入口とは逆側に接続され、柔軟性材料からなる第２の帯状部材と、
によって構成したものである。
【０００６】
(2)   本考案の第２の態様は、上述の第１の態様に係る電気温灸器用支持帯において、
包袋部を、身体に接触する面を構成する正面身頃と、この正面身頃に対向する背面身頃と、によって構成し、背面身頃の内部に弾力性をもったクッション部材を埋め込むようにしたものである。
【０００７】
(3)   本考案の第３の態様は、上述の第１または第２の態様に係る電気温灸器用支持帯において、
第２の帯状部材の幅が包袋部の幅とほぼ等しく、第１の帯状部材の幅が第２の帯状部材の幅よりも狭くなるように設定したものである。
【考案の効果】
【０００８】
本考案に係る電気温灸器用支持帯を用いれば、患者は両方の帯状部材を両手で保持しながら、包袋部に収容された発熱部を背中の所望の位置に当てることができるので、患者自身が電気温灸器を用いて背中の患部に対して治療を行う場合に、その作業負担を大幅に軽減することができるようになる。
【考案を実施するための最良の形態】
【０００９】
以下、本考案を図示する実施形態に基づいて説明する。本考案は、電気温灸器そのものについての考案ではなく、その支持帯に係るものであるが、便宜上、一般的な電気温灸器の構造を簡単に説明しておく。
【００１０】
図１は、前掲の特許文献１に開示されている電気温灸器の側面図、図２はその底面図である。図示のとおり、この電気温灸器の主要な構成要素は、電気ヒータを内蔵した発熱部１０、この発熱部１０に連接された把持部２０、この把持部２０から導出された電源コード３０である。発熱部１０は、支持体１１，発熱体１２，遠赤外放射体１３によって構成されており、内蔵された電気ヒータにより発熱体１２が発熱する構造をなす。遠赤外放射体１３は、チタン酸バリウムアルミナなどのセラミック材料によって構成されており、加熱すると遠赤外線を放射する性質をもっている。
【００１１】
一方、把持部２０は、支持体１１に連接してなる把持グリップ２１によって構成されている。この把持グリップ２１の内部には、電源コード３０の延長部分が貫通しており、発熱部１０に内蔵されている電気ヒータへの給電を行う。電源コード３０は、把持グリップ２１の端部から図の右方へと伸びており、商用電源に接続される。利用者は、この把持グリップ２１の部分を片手で保持し、発熱体１２の底面を布ごしに患部へ当てて温灸治療を行う。特に、遠赤外放射体１３を患部に当てると、遠赤外線の放射によりツボへの集中的な治療を行うことができる。
【００１２】
この電気温灸器を、患者自身が治療に用いる場合、前述したとおり、背中側の患部に発熱体１２を当てる作業が困難になる。本考案に係る支持体は、このような課題を解決するためのものである。
【００１３】
図３は、本考案の一実施形態に係る電気温灸器用支持帯の斜視図である。この支持帯は、図１，図２に示すような電気温灸器を支持するための補助用具であり、図示のとおり、包袋部１００、絞り紐２００、第１の帯状部材３００、第２の帯状部材４００によって構成されている。この実施形態の場合、これらの各構成要素の素材はいずれも布であり、全体として、布を用いた縫製製品となっているが、本考案を実施する上では、これらの各構成要素を必ずしも布で構成する必要はない。ただ、実用上は、できるだけ軽く、柔軟性をもち、低コストで製造が可能な素材を用いるのが好ましく、布が最適の材料である。
【００１４】
包袋部１００は、電気温灸器の発熱部１０を包み込んで収容する機能を有し、図示のとおり、正面身頃１１０と背面身頃１２０とを周囲で縫合した構造をなす。正面身頃１１０および背面身頃１２０は、ほぼ同じサイズ、同じ形状の布からなる構成要素であり、両者を対向配置させ、周囲を縫合することにより、発熱部１０を包み込んで収容するための袋状収容空間が構成されている。ただ、図示の左側部分には、出入口１３０が形成されており、この出入口１３０を通して、電気温灸器の発熱部１０を出し入れすることが可能になる。
【００１５】
絞り紐２００は、その中央部が正面身頃１１０に縫合された布製の紐であり（縫合部は、図に現れていない）、包袋部１００の出入口１３０を絞り込む絞込手段としての機能を果たす。もっとも、この絞込手段は、包袋部１００に収容した発熱部１０が容易に抜け出さないように、出入口１３０を絞り込む機能を果たせばよいので、必ずしも布製の紐で構成する必要はない。たとえば、出入口１３０の周囲に這わせたゴムによって絞込手段を構成してもかまわないし、面ファスナー（いわゆるマジックテープ（登録商標））や磁石などによって絞込手段を構成してもかまわない。
【００１６】
第１の帯状部材３００は、一端が包袋部１００の出入口１３０側に接続された柔軟性材料（この実施形態の場合は布）からなる構成要素であり、第２の帯状部材４００は、一端が包袋部１００の出入口１３０とは逆側に接続された柔軟性材料（この実施形態の場合は布）からなる構成要素である。この実施形態の場合、第２の帯状部材４００の幅（長手方向に直角方向の寸法）は、包袋部１００の幅（長手方向に直角方向の寸法）とほぼ等しくなるように設定されている。そのため、第２の帯状部材４００は、包袋部１００の背面身頃１２０と同一の布で構成することができ、背面身頃１２０から第２の帯状部材４００へと布地が連続した単純な構造にすることができる。これに対して、第１の帯状部材３００の幅（長手方向に直角方向の寸法）は、第２の帯状部材４００の幅よりも狭くなるように設定されている。なお、第２の帯状部材４００の先端には、布製の帯からなるループ部４１０が取り付けられている。
【００１７】
図４は、この支持帯に、図１，図２に示す電気温灸器を装着した状態を示す斜視図である。電気温灸器を支持帯に装着するには、発熱部１０の部分を出入口１３０から包袋部１００の中へと挿入した後、絞り紐２００を結んで出入口１３０を絞り込むようにすればよい。把持部２０は、第１の帯状部材３００に沿って出入口１３０から外部へ露出した状態となる。絞り紐２００によって出入口１３０を絞り込んでいるため、発熱部１０は包袋部１００の内部に保持された状態になる。
【００１８】
患者が背中の患部を温灸治療する場合、図４に示すように、電気温灸器を支持帯に装着状態にした後、発熱部１０を収容した包袋部１００が背中側にくるようにし、一方の手で第１の帯状部材３００をつかみ、他方の手で第２の帯状部材４００をつかめばよい。このとき、一方の手で、第１の帯状部材３００と電源コード３０とを一緒に束ねるようにしてつかめば、電源コード３０が邪魔になるのを防ぐことができる。また、他方の手では、第２の帯状部材４００の先端に取り付けられたループ部４１０をつかむようにすれば、しっかりと保持することができる。両手の位置を変えることにより、発熱部１０が背中に当たる位置を任意に調節することが可能であり、患者自身の手によって、所望の患部に温灸治療を施すことが可能になる。
【００１９】
上述したように、第２の帯状部材４００の幅は、包袋部１００の幅とほぼ等しくなるように設定されているため、比較的幅の広い帯状をなしているので、ループ部４１０を片手で保持しながら使用した場合でも、第２の帯状部材４００が捻れるのを防ぐことができる。一方、第１の帯状部材３００の幅は、第２の帯状部材４００の幅よりも狭くなるように設定されており、比較的幅の狭い帯状をなしている。これは、第１の帯状部材３００とともに電源ケーブル３０を一緒に握って保持する便宜を考慮したためである。第１の帯状部材３００を幅の狭い帯状体で構成することにより、電源ケーブル３０と一緒に束ねて握る操作が容易になる。
【００２０】
一般的には、電気温灸器を包袋部１００内に装着する際の向きは、いずれの向きでもかまわない。ただ、ここに示す実施形態の場合、正面身頃１１０側を身体に接触させることを前提とした構成となっており、背面身頃１２０の内部には、弾力性をもったクッション部材（綿など）が埋め込まれている。したがって、この実施形態の場合は、発熱部１０の底面側（発熱体１２および遠赤外放射体１３がある面）を正面身頃１１０側に向けて装着する。発熱体１２および遠赤外放射体１３は、正面身頃１１０の生地を通して、患部に当てられる。背面身頃１２０側にクッション部材を埋め込むことにより、電気温灸器の上面側が身体や家具などに接触した場合にも、無用な衝撃を和らげる効果が得られる。
【００２１】
なお、この支持帯を利用して温灸治療を行うと、身体に接触する正面身頃１１０が次第に汚れてくることになるが、その場合は、絞り紐２００を解いて電気温灸器を取り外した後、支持帯全体を洗濯すればよい。あるいは、正面身頃１１０側に開口窓を形成しておき、発熱体１２および遠赤外放射体１３側に当て布を取り付けて利用することもできる（前掲の特許文献２参照）。この場合は、当て布のみを取り外して洗濯することができる。包袋部１００は、発熱部１０を包み込んで収容する機能をもっていればよいので、必要に応じて、開口窓を形成しても何ら問題はない。
【図面の簡単な説明】
【００２２】
【図１】本考案に係る支持帯に装着する電気温灸器の一例を示す側面図である。
【図２】図１に示す電気温灸器の底面図である。
【図３】本考案の一実施形態に係る支持帯の斜視図である。
【図４】図３に示す支持帯に電気温灸器を装着した状態を示す斜視図である。
【符号の説明】
【００２３】
１０…発熱部
１１…支持体
１２…発熱体
１３…遠赤外放射体
２０…把持部
２１…把持グリップ
３０…電源コード
１００…包袋部
１１０…正面身頃
１２０…背面身頃
１３０…出入口
２００…絞り紐（絞込手段）
３００…第１の帯状部材
４００…第２の帯状部材
４１０…ループ部
【図１】
0003115119.tif 000003
【図２】
0003115119.tif 000004
【図３】
0003115119.tif 000005
【図４】
0003115119.tif 000006